(57)【要約】【課題】室内への設置が容易な吹出しダクト組立体を提供する。【解決手段】吹出しダクト組立体５ａは、室内の天井近傍に設けられる吹出しダクト組立体であって、吹出しダクト７ａと、気体封入部８ａとを備える。吹出しダクト７ａは、内部には調和された空気が通り表面からは空気が吹出す。気体封入部８ａは、吹出しダクト７ａに隣接して固定され、大気より比重の軽い気体が封入される。【選択図】        図４
2004361037.tif 000002
【特許請求の範囲】
【請求項１】
室内（Ｒ）の天井（ＣＬ）近傍に設けられる吹出しダクト組立体（５ａ−５ｄ）であって、
内部には調和された空気が通り表面からは前記空気が吹出す吹出しダクト（７ａ−７ｄ）と、
前記吹出しダクト（７ａ−７ｄ）の内部に設けられ又は前記吹出しダクト（７ａ−７ｄ）に隣接して固定され、大気より比重の軽い気体が封入された気体封入部（８ａ−８ｄ）と、
を備える吹出しダクト組立体（５ａ−５ｄ）。
【請求項２】
前記吹出しダクト（７ａ−７ｄ）は、柔軟性を有する材料によって形成されている、
請求項１に記載の吹出しダクト組立体（５ａ−５ｄ）。
【請求項３】
前記吹出しダクト（７ａ−７ｄ）は、平板状の外形を有する、
請求項２に記載の吹出しダクト組立体（５ａ−５ｄ）。
【請求項４】
対向する平面間の距離を一定に保持する保持部材（９ａ，９ｃ）をさらに備える、
請求項２または３に記載の吹出しダクト組立体（５ａ−５ｄ）。
【請求項５】
前記保持部材（９ａ，９ｃ）は、前記空気が通る複数の空間（Ｒ１−Ｒ９）に前記吹出しダクト（７ａ−７ｄ）の内部を仕切る部材である、
請求項４に記載の吹出しダクト組立体（５ａ−５ｄ）。
【請求項６】
所定の剛性を有し前記吹出しダクト（７ａ−７ｄ）の外形を平板状に保持する固定部材（８ａ−８ｄ，９ａ，９ｃ）をさらに備える、
請求項２から５のいずれかに記載の吹出しダクト組立体（５ａ−５ｄ）。
【請求項７】
前記固定部材（９ａ，９ｃ）は、前記空気が通る複数の空間（Ｒ１−Ｒ９）に前記吹出しダクト（７ａ−７ｄ）の内部を仕切る仕切り部材（９ａ，９ｃ）の少なくとも一部である、
請求項６に記載の吹出しダクト組立体（５ａ−５ｄ）。
【請求項８】
前記固定部材（８ａ−８ｄ）は、前記気体が封入される内部空間（ＳＳ）を有しており、前記気体封入部（８ａ−８ｄ）を兼ねる、
請求項６に記載の吹出しダクト組立体（５ａ−５ｄ）。
【請求項９】
上面から前記天井（ＣＬ）側へと突出する突出部（８２ｂ，８２ｄ）をさらに備える、
請求項１から８のいずれかに記載の吹出しダクト組立体（５ａ−５ｄ）。
【請求項１０】
前記突出部（８２ｂ，８２ｄ）は、前記気体封入部（８ｂ，８ｄ）の少なくとも一部を構成する、
請求項９に記載の吹出しダクト組立体（５ａ−５ｄ）。
【請求項１１】
前記気体封入部（８ａ−８ｄ）へと連通する気体排出経路（１２）と、
前記気体排出経路（１２）を閉じる閉鎖部材（１３）と、
をさらに備える、
請求項１から１０のいずれかに記載の吹出しダクト組立体（５ａ−５ｄ）。
【請求項１２】
前記気体封入部（８ａ−８ｄ）へと連通する気体供給経路（１４）と、
前記気体供給経路（１４）に設けられる逆止弁（１５）と、
をさらに備える、
請求項１から１１のいずれかに記載の吹出しダクト組立体（５ａ−５ｄ）。
【請求項１３】
前記吹出しダクト（７ａ−７ｄ）は、所定の輻射率を有する繊維系材料によって形成される、
請求項１から１２のいずれかに記載の吹出しダクト組立体（５ａ−５ｄ）。
【発明の詳細な説明】
【０００１】
【発明の属する技術分野】
本発明は、吹出しダクト組立体に関する。
【０００２】
【従来の技術】
室内の空気調和に吹出しダクトがよく利用されている。この吹出しダクトには、繊維材料からなる織物を中空筒状に形成した構造を有するものがある。このような吹出しダクトの内部に調和された空気が供給されると、空気の内圧によって吹出しダクトが膨らみ、吹出しダクトの全周面から気体が低風速で吹出される。これにより、室内の空気調和が行われる。
【０００３】
従来、この吹出しダクトは、所定の支持構造によって室内に取り付けられることが多い。例えば、吹出しダクトは、吹出しダクトに設けられる掛部と、天井などに設けられ掛部が掛けられる吊部とによって取り付けられる。掛部は、ホックなどの部材であり、吹出しダクトに固定された掛帯の一端に設けられる。掛帯は、吹出しダクトの本体の両側周面に他端が固定され一定間隔ごとに設けられる。吊部は、天井などに張られたワイヤや吊金具などである。そして、吊部に掛部が掛けられることにより、吹出しダクトが支持されて室内に取り付けられる（特許文献１参照）。
【０００４】
【特許文献１】
特開平３−４５８５２号公報（第２頁、第２図および第３図）
【０００５】
【発明が解決しようとする課題】
しかし、上記のような支持構造によって吹出しダクトが支持される場合、吹出しダクトの設置工事が行い難い場合がある。例えば、吹出しダクトが室内の天井近傍に設置される場合には、上記のワイヤ等を天井面に設け、天井近傍に設けられたワイヤ等に吹出しダクトの掛部をかける必要がある。しかし、このような作業は天井近傍で行われるため、作業が行い難い。また、吹出しダクトを安定的に支持するためには複数の掛部が必要であるが、構造が複雑となり作業が行い難い。
【０００６】
本発明の課題は、室内への設置が容易な吹出しダクト組立体を提供することにある。
【０００７】
【課題を解決するための手段】
請求項１に記載の吹出しダクト組立体は、室内の天井近傍に設けられる吹出しダクト組立体であって、吹出しダクトと、気体封入部とを備える。吹出しダクトは、内部には調和された空気が通り表面からは空気が吹出す。気体封入部は、吹出しダクトの内部に設けられ又は吹出しダクトに隣接して固定され、大気より比重の軽い気体が封入される。
【０００８】
この吹出しダクト組立体では、気体封入部に大気より比重の軽い気体が封入される。このため、気体封入部には浮力が生じる。そして、気体封入部は、吹出しダクトの内部に設けられ又は吹出しダクトに隣接して固定されるため、吹出しダクトが浮力によって支持される。従って、この吹出しダクト組立体では、吹出しダクトを支持する支持構造が不要であるか又は簡易なものでよく、室内への設置が容易である。
【０００９】
請求項２に記載の吹出しダクト組立体は、請求項１に記載の吹出しダクト組立体であって、吹出しダクトは、柔軟性を有する材料によって形成されている。
この吹出しダクト組立体では、吹出しダクトが柔軟性を有する材料によって形成されている。柔軟性を有する材料とは、例えば天然繊維や合成繊維などからなる織布であり、これらの材料によって形成された吹出しダクトは比較的軽量なものである。従って、この吹出しダクト組立体は、気体封入部に充填された気体の浮力によって容易に支持されることができる。
【００１０】
請求項３に記載の吹出しダクト組立体は、請求項２に記載の吹出しダクト組立体であって、吹出しダクトは、平板状の外形を有する。
吹出しダクトは、室内に設置されるため、室内の居住者等の視野に入りやすい。そこで、吹出しダクトによって室内の美観が損なわれることを防止するためには、吹出しダクトの外形が平板状であることが望ましい。しかし、平板状の吹出しダクトにおいては、設置面積が大きくなることが多く、支持構造が複雑なものとなり易い。従って、設置が行い難くなる恐れがある。
【００１１】
この吹出しダクト組立体では、気体封入部に充填された気体の浮力によって吹出しダクトが容易に支持される。このため、吹出しダクトが平板状の外形を有する場合であっても、室内への設置が容易である。
請求項４に記載の吹出しダクト組立体は、請求項２または３に記載の吹出しダクト組立体であって、保持部材をさらに備える。保持部材は、対向する平面間の距離を一定に保持する。
【００１２】
一般に、吹出しダクトでは内部の空気によって内圧が発生するために、吹出しダクトが膨張して美観が損なわれる恐れがある。
この吹出しダクト組立体では、保持部材によって、対向する平面間の距離が一定に保持される。このため、吹出しダクトの膨張が抑えられ、吹出しダクトの外形が維持される。これにより、この吹出しダクト組立体では、美観が損なわれる恐れを低減することができる。
【００１３】
請求項５に記載の吹出しダクト組立体は、請求項４に記載の吹出しダクト組立体であって、保持部材は、空気が通る複数の空間に吹出しダクトの内部を仕切る部材である。
この吹出しダクト組立体では、保持部材によって、吹出しダクトの対向する平面間の距離が一定に保持される。そして、保持部材は、空気が通る複数の空間に吹出しダクトの内部を仕切る部材である。従って、この吹出しダクト組立体では、吹出しダクトの広範囲に亘って保持部材が設けられても、保持部材によって空気の流れが妨げられる恐れが少ない。このため、この吹出しダクト組立体では、吹出しダクトの外形を適切に維持することができると共に、保持部材によって空気の流れが妨げられる恐れが少ない。
【００１４】
請求項６に記載の吹出しダクト組立体は、請求項２から５のいずれかに記載の吹出しダクト組立体であって、固定部材をさらに備える。固定部材は、所定の剛性を有し吹出しダクトの外形を平板状に保持する。
一般に、吹出しダクトでは内部の空気によって内圧が発生するために、吹出しダクトが膨張して美観が損なわれることが多い。
【００１５】
この吹出しダクト組立体では、固定部材によって、吹出しダクトの外形が平板状に保持される。このため、吹出しダクトの膨張が抑えられ、吹出しダクトの外形が維持される。これにより、この吹出しダクト組立体では、美観が損なわれる恐れを低減することができる。
請求項７に記載の吹出しダクト組立体は、請求項６に記載の吹出しダクト組立体であって、固定部材は、仕切り部材の少なくとも一部である。仕切り部材は、空気が通る複数の空間に吹出しダクトの内部を仕切る。
【００１６】
この吹出しダクト組立体では、固定部材は、仕切り部材の少なくとも一部である。例えば、仕切り部材の少なくとも一部をプラスチックなどの所定の剛性を有する材料によって形成することによって、吹出しダクトの外形を平板状に保持することができる。従って、この吹出しダクト組立体では、吹出しダクトの外形を平板状に保持するための構成部品を特別に設ける必要が無く、部品点数の増加が抑えられる。
【００１７】
請求項８に記載の吹出しダクト組立体は、請求項６に記載の吹出しダクト組立体であって、固定部材は、気体が封入される内部空間を有しており、気体封入部を兼ねる。
この吹出しダクト組立体では、固定部材は、気体が封入される内部空間を有しており、気体封入部を兼ねる。例えば、気体封入部をプラスチックなどの所定の剛性を有する材料によって形成することによって、吹出しダクトの外形を平板状に保持することができる。従って、吹出しダクトの外形が平板状に保持するための構成部品を別途設ける必要が無く、部品点数の増加が抑えられる。
【００１８】
請求項９に記載の吹出しダクト組立体は、請求項１から８のいずれかに記載の吹出しダクト組立体であって、突出部をさらに備える。突出部は、上面から天井側へと突出する。
吹出しダクトが気体封入部の気体の浮力によって支持されると、吹出しダクトの重量と浮力とのバランスによっては、吹出しダクトが天井に接触する恐れがある。吹出しダクトが天井に接触すると、冷房時において吹出しダクトの内部に冷たい空気が流れる場合には、天井面において結露が生じる恐れがある。
【００１９】
この吹出しダクト組立体では、突出部が、吹出しダクト組立体の上面から天井側へと突出している。このため、吹出しダクトが天井へ向けて浮き上がった場合でも、吹出しダクトが天井と接触することが突出部によって防止される。これにより、この吹出しダクト組立体では、天井において結露が生じる恐れを低減することができる。
【００２０】
請求項１０に記載の吹出しダクト組立体は、請求項９に記載の吹出しダクト組立体であって、突出部は、気体封入部の少なくとも一部を構成する。
この吹出しダクト組立体では、気体封入部の少なくとも一部を構成する突出部が吹出しダクトの上面から天井側へと突出している。このため、吹出しダクトが天井へ向けて浮き上がったとしても、突出部によって吹出しダクトが天井と接触することが防止される。また、突出部の内部に封入された気体によって、吹出しダクトと天井との間を断熱する効果が得られる。これにより、この吹出しダクト組立体では、天井において結露が生じる恐れをより低減することができる。
【００２１】
請求項１１に記載の吹出しダクト組立体は、請求項１から１０のいずれかに記載の吹出しダクト組立体であって、気体排出経路と閉鎖部材とをさらに備える。気体排出経路は、気体封入部へと連通する。閉鎖部材は、気体排出経路を閉じる。
この吹出しダクト組立体では、気体排出経路と閉鎖部材とによって、気体封入部に封入された気体を容易に排出することができる。このため、例えば、吹出しダクト組立体のメンテナンス時などにおいて、吹出しダクト組立体を天井近傍から容易に降ろすことができる。
【００２２】
請求項１２に記載の吹出しダクト組立体は、請求項１から１１のいずれかに記載の吹出しダクト組立体であって、気体供給経路と逆止弁とをさらに備える。気体供給経路は、気体封入部へと連通する。逆止弁は、気体供給経路に設けられる。
この吹出しダクト組立体では、気体供給経路と逆止弁とによって、気体封入部へと気体を容易に充填することができる。このため、気体が減少して吹出しダクトへの浮力が低下した場合に、気体を容易に補充することができる。また、吹出しダクト組立体に容易にガスを充填することができるため、吹出しダクト組立体を容易に天井近傍に設置することができる。
【００２３】
請求項１３に記載の吹出しダクト組立体は、請求項１から１２のいずれかに記載の吹出しダクト組立体であって、吹出しダクトは、所定の輻射率を有する繊維系材料によって形成される。
この吹出しダクト組立体では、吹出しダクトは、所定の輻射率を有する繊維系材料によって形成される。従って、吹出しダクトの内部を通る空気の温度によって吹出しダクトの温度が調整され、吹出しダクトが輻射パネルとして機能する。このため、吹出しダクトからの輻射によって室内の温度調整を行うことができる。また、吹出しダクトの繊維の隙間から温度調整された空気が穏やかに室内へと吹出される。このため、吹出しダクトからの穏やかな空気の吹出しによって室内の温度調整を行うことができる。このように、この吹出しダクト組立体では、輻射による温度調整と穏やかな空気の吹出しによる温度調整との両方によって室内の温度調整を行うことができる。これにより、この吹出しダクト組立体では、ドラフトによる不快感を低減すると共に、適切に室内の温度調整を行うことができる。
【００２４】
【発明の実施の形態】
＜第１実施形態＞
［全体構成］
本発明の第１実施形態にかかる吹出しダクト組立体５ａを備える空気調和機１を図１に示す。この空気調和機１は、室内機２と室外機３と吹出しダクト組立体５ａとを備えており、輻射と温度調整された空気の吹き出しとによって冷暖房等の室内Ｒの空気調和を行うことができる。なお、図１では、理解の容易のため、空気調和機１の一部が断面図として示されている。
【００２５】
室外機３は、室外に配置され、図２に示すように、圧縮機３１、四路切換弁３２、電動弁３３、室外ファン（図示せず）、室外ファンモータ３４、室外機温度センサ３５、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２６】
室内機２は、図１に示すように、室内Ｒの天井面ＣＬ近傍の側壁等に配置され、室内機ケーシング２１、室内熱交換器２２、室内ファン２３、室内ファンモータ２４（図２参照）、室内機温度センサ２５（図２参照）などを備えている。
室内機ケーシング２１は、室内熱交換器２２や室内ファン２３等を内部に収納しており、吸込み口２６と接続口２７とを備えている。吸込み口２６は、室内Ｒから室内機ケーシング２１内へと取り入れられる空気が通る開口である。接続口２７は、室内機ケーシング２１内で室内熱交換器２２を通って吹出しダクト組立体５ａへと送られる空気が通る開口であり、後述する吹出しダクト組立体５ａの空気取入れ口５１ａに接続される。
【００２７】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内Ｒから取り込まれ吹出しダクト組立体５ａへと送られる空気流を生成する。この空気流は、吸込み口２６から室内機ケーシング２１の内部に取り込まれ、室内熱交換器２２、接続口２７および空気取入れ口５１ａを通って吹出しダクト組立体５ａの内部へと到る空気の流れである。
【００２８】
室内機温度センサ２５には、室内熱交換器の温度や室内空気の温度等を検出する各種の温度センサが含まれる。
吹出しダクト組立体５ａは、室内Ｒの天井面ＣＬの近傍に配置され、室内機２によって温度調整された空気の温度を利用した輻射と、温度調整された空気の吹出しとによって、冷暖房等の空気調和を行う。吹出しダクト組立体５ａの構成については、後に詳細に説明する。
【００２９】
また、空気調和機１は、制御部６を備えている。制御部６は、室外機３と室内機２とに分かれて設けられており、空気調和機１の運転制御を行う。制御部６は、図２に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７０から運転指令を受けると、各構成部品を制御して空気調和機１の運転制御を行う。
【００３０】
［吹出しダクト組立体の構成］
図３に吹出しダクト組立体５ａの外観図を示す。
吹出しダクト組立体５ａは、薄い平板状の外形を有しており、平面的な形状となっている。吹出しダクト組立体５ａは、天井面ＣＬの近傍に天井面ＣＬに平行に配置される。吹出しダクト組立体５ａは、室内Ｒの空気よりも軽い空気が封入された気体封入部８ａを有しており、浮力によって支持される。
【００３１】
吹出しダクト組立体５ａは、図４に示すように、吹出しダクト７ａ、気体封入部８ａ、仕切り部材９ａ、気体排出機構１０（図６参照）、気体供給機構１１（図６参照）とを備えている。吹出しダクト組立体５ａの内部は、図５に示すように、複数の部屋Ｒ１，Ｒ２，Ｒ３，ＳＳに分けられており、複数の部屋Ｒ１，Ｒ２，Ｒ３，ＳＳの一つである密封空間ＳＳが気体封入部８ａによって構成されている。そして、他の部屋Ｒ１，Ｒ２，Ｒ３が吹出しダクト７ａによって構成されている。なお、図５は、図４におけるＶ−Ｖ断面図である。
【００３２】
〈吹出しダクト〉
吹出しダクト７ａは、内部には室内機２によって調和された空気が通り、表面からは調和された空気が吹出す。吹出しダクト７ａは、空気取入れ口５１ａ、第１面５４ａおよび３つの側面５６ａを有し、薄い平板状の形状を有する。吹出しダクト７ａは、空気によって大気圧より大きな圧力が生じる圧力発生空間ＰＳを内部に構成する。
【００３３】
空気取入れ口５１ａは、温度調整された空気を取り入れる部分であり、吹出しダクト７ａの側面の一つに設けられた開口である。空気取入れ口５１ａは、室内機ケーシング２１の接続口２７に脱着自在に接続され、室内ファン２３によって送られる空気（白抜き矢印Ａ１参照）が通過する。なお、空気取入れ口５１ａは、既存の対流型空気調和機の吹出し口に接続可能な構造となってもよい。さらに、この空気取入れ口５１ａと対流型空気調和機の吹出し口とは着脱自在となってもよい。
【００３４】
第１面５４ａは、四角形の薄いシート状の形状を有しており、圧力発生空間ＰＳの下方を閉じる。第１面５４ａは、室内Ｒの居住空間に面する位置に天井面ＣＬと平行に配置されている。また、第１面５４ａは、約０．９の輻射率を有する織布によって形成されている。
３つの側面５６ａは、細長い長方形の形状を有しており、空気取入れ口５１ａを除く圧力発生空間ＰＳの側方を閉じる。また、３つの側面５６ａは、第１面５４ａと同じ織布で形成されている。
【００３５】
〈気体封入部〉
気体封入部８ａは、大気より比重の軽い気体が封入される部分であり、柔軟性を有する材料によって形成されている。気体封入部８ａは、吹出しダクト７ａの上側に隣接して固定されている。気体封入部８ａは、上面視において、吹出しダクト７ａの第１面５４ａと略同じ面積を有しており、吹出しダクト７ａと同様に薄い平板状の形状を有している。また、気体封入部８ａは、第１面５４ａと対向して配置されており、圧力発生空間ＰＳの上方を閉じる。気体封入部８ａは内部に密封空間ＳＳを有しており、この密封空間ＳＳにはヘリウムガス等の大気より比重の小さい気体が封入される。従って、気体封入部８ａの密封空間ＳＳと圧力発生空間ＰＳとは、上下方向に積層した配置となっている。
【００３６】
以上のように、吹出しダクト組立体５ａの内部は、気体封入部８ａの密封空間ＳＳと、吹出しダクト７ａの圧力発生空間ＰＳとに分かれた多室構造となっている。そして、気体封入部８ａに封入された気体の浮力によって、吹出しダクト７ａが支持される。この吹出しダクト組立体５ａでは、吹出しダクト７ａの内部に大気より軽い気体が封入される部屋が設けられることによって、吹出しダクト組立体５ａ自体が浮力を持っている。
【００３７】
〈仕切り部材〉
仕切り部材９ａは、図５に示すように、調和された空気が通る複数の部屋Ｒ１，Ｒ２，Ｒ３に圧力発生空間ＰＳを仕切っている。仕切り部材９ａは、圧力発生空間ＰＳの空気の流れ方向に平行に配置されており、一端が第１面５４ａに固定され他端が気体封入部８ａに固定される。このため、仕切り部材９ａは、第１面５４ａと気体封入部８ａとの間の距離を一定に保持することができる。従って、仕切り部材９ａは、圧力発生空間ＰＳに大気圧より大きな圧力が生じた場合に、吹出しダクト７ａが膨張することを抑えることができる。すなわち、仕切り部材９ａは、平板形状の対向する平面間の距離を一定に保持することによって、吹出しダクト組立体５ａの外形を平板状の形状に保持することができる。
【００３８】
〈気体排出機構〉
気体排出機構１０は、気体封入部８ａに封入された気体を排出するための機構であり、図６に示すように、気体排出経路１２と蓋１３とによって構成されている。気体排出経路１２は、吹出しダクト７ａの外部から気体封入部８ａへと連通する経路であり、気体封入部８ａから外部へと排出される気体が通る。気体排出経路１２は、吹出しダクト７ａの第１面５４ａの表面から圧力発生空間ＰＳを通り、気体封入部８ａの密封空間ＳＳへと連通している。蓋１３は、気体排出経路１２を開閉自在に閉じる。気体排出機構１０では、蓋１３を外して気体排出経路１２を開くことにより、気体封入部８ａに封入された気体を気体封入部８ａから容易に排出することができる。
【００３９】
〈気体供給機構〉
気体供給機構１１は、気体封入部８ａへと気体を供給するための機構であり、気体供給経路１４と逆止弁１５とによって構成される。気体供給経路１４は、吹出しダクト７ａの外部から気体封入部８ａへと連通する経路であり、気体封入部８ａへと供給される気体が通る。気体供給経路１４は、第１面５４ａの表面から圧力発生空間ＰＳを通り、気体封入部８ａの密封空間ＳＳへと連通している。逆支弁１５は、気体供給経路１４中に設けられており、気体供給経路１４を気体封入部８ａへ向けて流れる気体を通すが、気体供給経路１４を外部へ向けて流れる気体を止める。気体供給機構１１では、ヘリウムガスなどの気体が充填されたボンベを気体供給経路１４に繋げることによって、気体封入部８ａへと気体を容易に供給することができる。
【００４０】
［空気調和機の運転動作］
次に、この空気調和機１によって室内Ｒの空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内Ｒの空気は、室内熱交換器２２を通過する際に熱を奪われて冷却される。
【００４１】
この冷却された空気は、図７に示すように、接続口２７および空気取入れ口５１ａを通って、吹出しダクト７ａ内の圧力発生空間ＰＳへと送られる。空気が圧力発生空間ＰＳに送られると、大気圧より大きな正の静圧が圧力発生空間ＰＳに生じる。すなわち、天井面ＣＬに平行に流れる空気の流れ（実線矢印Ａ２参照）に対して垂直な方向に大気圧より大きな圧力が生じる。このため、冷却された空気が、吹出しダクト７ａの織布の繊維の隙間から押し出され、室内Ｒへと穏やかに吹き出される（実線矢印Ａ３参照）。
【００４２】
また、吹出しダクト７ａは、冷却された空気と接触することによって、冷却される。このため、吹出しダクト７ａから冷輻射が生じる（破線矢印Ａ４参照）。このように、この空気調和機１では、吹出しダクト７ａの繊維の隙間からの穏やかな吹き出しと、吹出しダクト７ａの冷輻射とによって、室内Ｒの冷房が行われる。
【００４３】
なお、図７においては、理解の容易のため気体封入部８ａを省略している。
暖房運転時には、室内熱交換器２２が凝縮器として機能して、通過する空気を加熱する。加熱された空気は、冷房運転時と同様に、吹出しダクト７ａ内の圧力発生空間ＰＳへと送られる。そして、加熱された空気が、織布の繊維の隙間から押し出され、室内Ｒへと穏やかに吹き出される。また、吹出しダクト７ａは、加熱された空気と接触することによって、加熱される。このため、吹出しダクト７ａから熱輻射が生じる。このように、この空気調和機１では、吹出しダクト７ａの繊維の隙間からの穏やかな吹出しと、吹出しダクト７ａの熱輻射とによって、室内Ｒの暖房が行われる。
【００４４】
［特徴］
（１）
吊金具などの支持構造によって天井面ＣＬから吊り下げられる従来の吹出しダクトにおいては、支持構造が複雑となり、設置工事における手間が増大するという問題がある。また、支持構造が複雑となると、メンテナンス時における吹出しダクトの取り外しや取り付けが行い難い。さらに、支持構造の重量が大きい場合には、吹出しダクトが固定される天井面ＣＬなどを傷つける恐れもある。
【００４５】
この空気調和機１が備える吹出しダクト組立体５ａでは、気体封入部８ａに大気より軽い気体が封入されている。このため、気体封入部８ａに封入された気体の浮力によって、吹出しダクト７ａが支持される。従って、吹出しダクト７ａを支持するための支持構造が不要であるか、又は、簡易な支持構造によって吹出しダクト７ａを支持することができる。このため、吹出しダクト７ａの設置工事が容易である。また、吹出しダクト７ａの取り外しも容易である。このため、吹出しダクト７ａの清掃などのメンテナンスが行い易い。さらに、支持構造が不要であるか簡易なものでよいため、天井面ＣＬなどを傷つける恐れも少ない。
【００４６】
（２）
支持構造によって天井面ＣＬから吊り下げられる従来の吹出しダクトにおいては、吹出しダクトと天井面ＣＬとの間に支持構造を設けるためのスペースが必要となり、吹出しダクトの設置位置が低くなる。この場合、居住者等に圧迫感を与える恐れがある。
【００４７】
この吹出しダクト組立体５ａでは、支持構造が不要であるため、吹出しダクト７ａと天井面ＣＬとの隙間を減少させることができる。このため、吹出しダクト７ａを天井面ＣＬの近傍に設置することができ、圧迫感を低減することができる。
（３）
従来の円筒形状の吹出しダクトでは、室内Ｒの美観を損なう恐れがある。特に平面的な形状の天井面ＣＬに円筒形状の吹出しダクトが設けられると、居住者等に視覚的な違和感を与えて美観を損なう恐れが大きい。また、複数の配管が天井面ＣＬに設けられているような工場ではなく一般家庭において吹出しダクトが使用される場合、美観を損なう恐れが特に大きい。
【００４８】
この吹出しダクト組立体５ａでは、外形が平板状の形状となっている。このため、室内Ｒの美観を損なう恐れが小さい。
また、吹出しダクト７ａが織布などの柔軟な材料で形成されている場合には、圧力発生空間を通る空気の内圧によって、吹出しダクト７ａが膨張し易く吹出しダクトの外形を維持することが困難である。特に、吹出しダクト７ａが平板状の外形を有する場合には、吹出しダクト７ａの膨張によって平板状の外形を維持することは困難である。
【００４９】
しかし、この吹出しダクト組立体５ａでは、圧力発生空間ＰＳを複数の部屋Ｒ１−Ｒ３に仕切る仕切り部材９ａによって、吹出しダクト７ａの外形が膨張することが抑えられる。このため、この吹出しダクト組立体５ａでは、室内Ｒの美観を損なう恐れが小さい。
（４）
この吹出しダクト組立体５ａでは、気体排出機構１０によって気体封入部８ａから気体を容易に排出させることができる。また、気体供給機構１１によって気体封入部８ａへと気体を容易に供給することができる。このため、メンテナンス時などに気体を気体封入部８ａから排出させることによって容易に吹出しダクト７ａを天井面ＣＬ近傍から下降させることができる。また、気体を気体封入部８ａへと再び充填することによって、吹出しダクト７ａを浮上させて天井面ＣＬ近傍へと容易に設置することができる。
【００５０】
また、気体封入部８ａに封入される気体の量を調整することにより、吹出しダクト７ａの位置や姿勢を調整することができる。例えば、気体封入部８ａに十分に気体が封入された状態とすることにより、図２に示すように、吹出しダクト７ａを天井面ＣＬの近傍に天井面ＣＬに平行な状態に配置することができる。そして、気体封入部８ａの気体を減らすことにより浮力を弱めて、図８に示すように、吹出しダクト７ａを壁面ＷＬの近傍に壁面ＷＬに概ね沿った状態に配置することができる。
【００５１】
そして、これらの作業は、気体排出機構１０および気体供給機構１１を用いて気体の量を調整することにより容易に行うことができる。
また、気体封入部８ａに封入された気体が減少することによって吹出しダクト７ａの浮力が低下した場合には、スプレー缶などによって容易に気体を充填することができる。
【００５２】
（５）
温度調整された空気を直接室内Ｒへと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内Ｒの温度調整が行われても、ドラフトによって居住者等の体感温度を悪化させてしまう恐れがある。
【００５３】
この空気調和機１では、上記のように、吹出しダクト７ａからの輻射と穏やかな空気の吹出しとによって室内Ｒの冷暖房を行うことができる。このため、ドラフトによる不快感を解消することができる。
＜第２実施形態＞
［構成］
本発明の第２実施形態にかかる吹出しダクト組立体５ｂを図９および図１０に示す。なお、図１０は、図９におけるＸ−Ｘ断面である。
【００５４】
この吹出しダクト組立体５ｂでは、気体封入部８ｂは平坦部８１ｂと突出部８２ｂとを有している。
平坦部８１ｂは第１実施形態にかかる気体封入部８ｂと同様の構成である。
突出部８２ｂは、気体封入部８ｂの一部であり、その内部の密封空間ＳＳにはヘリウムガスなどの気体が封入される。突出部８２ｂは、吹出しダクト組立体５ｂの上面すなわち気体封入部８ｂの平坦部８１ｂから天井面ＣＬ側へと突出しており、吹出しダクト７ｂの長手方向に長い形状を有している。突出部８２ｂは、平坦部８２ｂの上面から天井面ＣＬ側へと厚さＨを有している。突出部８２ｂは、吹出しダクト組立体５ｂの上面に複数設けられている。なお、突出部８２ｂは、柔軟性を有する材料によって形成されており、密封空間ＳＳに気体が充填されることによって膨らみ、上記のような形状となる。
【００５５】
突出部８２ａと平坦部８１ａとは一体的に形成されており、平坦部８１ａの内部空間と突出部８２ａの内部空間とは密封空間ＳＳにおいて連通している。従って、密封空間ＳＳへと気体が充填されることにより、平坦部８１ｂと突出部８２ｂとの両方の内部空間に気体が充填される。なお、平坦部８１ｂの内部空間と突出部８２ｂの内部空間とが別々に区切られていてもよい。この場合、平坦部８１ｂの内部空間と突出部８２ｂの内部空間とのそれぞれに気体が充填されることのよって、気体封入部８ｂは上記のような形状となる。
【００５６】
他の構成については第１実施形態にかかる吹出しダクト組立体５ａと同様である。
［特徴］
第１実施形態にかかる吹出しダクト７ａのように天井面ＣＬ近傍に配置される吹出しダクトにおいては、吹出しダクトと天井面ＣＬとが接触または近接して天井面ＣＬに結露が発生する恐れがある。例えば、吹出しダクト７ａの重量と浮力とのバランスが崩れて吹出しダクト７ａが天井面ＣＬに接触または近接することがある。この状態で、冷房運転が行われると、天井面ＣＬが冷やされて、天井面ＣＬに結露が生じる。
【００５７】
この吹出しダクト組立体５ｂでは、その上面に突出部８２ｂが設けられており、吹出しダクト組立体５ｂの上面が天井面ＣＬ側へと突き出た凸状の形状となっている。従って、天井面ＣＬへ向けて吹出しダクト７ｂが浮き上がった場合であっても、突出部８２ｂによって、吹出しダクト７ｂと天井面ＣＬとの間に一定距離が確保される。このため、吹出しダクト７ｂと天井面ＣＬとが接触または近接することを防止することができる。また、突出部８２ｂの密封空間ＳＳにはヘリウムガス等の気体が封入されているため、突出部８２ｂが断熱材となり、吹出しダクト７ｂと天井面ＣＬとの間を断熱することができる。そして、吹出しダクト組立体５ｂと天井面ＣＬとの接触面積が小さい。これにより、天井面ＣＬでの結露の発生を防止することができる。
【００５８】
＜第３実施形態＞
［構成］
本発明の第３実施形態にかかる吹出しダクト組立体５ｃを図１１および図１２に示す。なお、図１２は、図１１におけるＸＩＩ―ＸＩＩ断面である。この吹出しダクト組立体５ｃでは、気体封入部８ｃが吹出しダクト７ｃの内部に設けられている。
【００５９】
この吹出しダクト組立体５ｃでは、吹出しダクト７ｃは、中空の平板状の形状を有しており、空気取入れ口５１ｃ、第１面５４ｃ、第２面５５ｃおよび複数の側面５６ｃを有している。空気取入れ口５１ｃ、第１面５４ｃおよび複数の側面５６ｃについては、第１実施形態にかかる第１面５４ａおよび側面５６ａと同様である。第２面５５ｃは、第１面５４ｃの上方に第１面５４ｃと対向して配置されており、圧力発生空間ＰＳの上方を閉じる。そして、気体封入部８ｃが、第１面５４ｃと第２面５５ｃとの間であって吹出しダクト７ａの圧力発生空間ＰＳの中央に配置されている。気体封入部８ｃは、図１２に示すように、空気の流れ方向に垂直な吹出しダクト７ａの断面において、圧力発生空間ＰＳの中央に配置されている。
【００６０】
また、この吹出しダクト組立体５ｃでは、複数の仕切り部材９ｃが、圧力発生空間ＰＳを複数の部屋Ｒ４−Ｒ９に仕切っており、複数の部屋Ｒ４−Ｒ９が気体封入部８ｃを囲むように配置されている。具体的には、複数の仕切り部材９ｃのうち第１仕切り部材９０ｃは、一端が第１面５４ｃの内側と固定され、他端が気体封入部８ｃの下面と固定されている。第２仕切り部材９１ｃは、一端が第２面５５ｃの内側と固定され、他端が気体封入部８ｃの上面と固定されている。また、第３仕切り部材９２ｃは、一端が側面５６ｃの内側に固定され、他端が気体封入部８ｃの側面に固定されている。
【００６１】
他の構成については第１実施形態にかかる吹出しダクト組立体５ａと同様である。
［特徴］
この吹出しダクト組立体５ｃでは、第１実施形態にかかる吹出しダクト組立体５ａと同様に、室内Ｒへの設置が容易である。また、吹出しダクト７ｃの圧力発生空間ＰＳに空気が流れた場合にも、平板状の外形が維持される。
【００６２】
＜第４実施形態＞
［構成］
本発明の第４実施形態にかかる吹出しダクト組立体５ｄを図１３に示す。
この吹出しダクト組立体５ｄでは、気体封入部８ｄは、本体部８１ｄと突出部８２ｄを有している。本体部８１ｄは、第３実施形態にかかる吹出しダクト組立体５ｃの気体封入部８ｃと同様に、圧力発生空間ＰＳの中央に配置されている。また、突出部８２ｄは、第２実施形態にかかる吹出しダクト組立体５ｂの突出部５２ｂと同様に、吹出しダクト７ａの上面から天井面ＣＬ側へと突出している。突出部８２ｄと本体部８１ｄとは連続しており、突出部８２ｂの内部の密封空間ＳＳは、本体部８１ｄの内部の密封空間ＳＳと連通している。従って、気体封入部８ｄに気体が供給されることにより、本体部８１ｄおよび突出部８２ｄに気体が封入される。
【００６３】
他の構成については第１実施形態にかかる吹出しダクト組立体５ａと同様である。
［特徴］
この吹出しダクト組立体５ｄでは、第１実施形態にかかる吹出しダクト組立体５ａと同様に、室内Ｒへの設置が容易である。また、吹出しダクト７ｄの圧力発生空間ＰＳに空気が流れた場合にも、平板状の外形が維持される。さらに、第２実施形態にかかる吹出しダクト組立体５ｂと同様に、天井面ＣＬでの結露の発生を防止することもできる。
【００６４】
＜第５実施形態＞
上記の実施形態において、気体封入部８ａ−８ｄまたは仕切り部材９ａ，９ｃの一部が、プラスチックなどの所定の剛性を有する軽量の材料によって形成されてもよい。これにより、吹出しダクト７ａ−７ｄの外形を平板状に保持することができる。
【００６５】
また、プラスチックなどの所定の剛性を有する軽量の材料によって形成された固定部材が吹出しダクト７ａ−７ｄに固定されてもよい。例えば、板状の固定部材を吹出しダクト７ｂの第２面５５ｂに固定することによっても、吹出しダクト７ｂの外形を平板状に保持することができる。
＜他の実施形態＞
（１）
上記の実施形態では、吹出しダクト組立体５ａ−５ｄは、輻射と吹出しとの両方によって室内Ｒの温度調整を行うが、本発明は、吹き出しのみによって室内Ｒの温度調整を行う吹出しダクトに対しても適用することができる。
【００６６】
（２）
上記の実施形態では、吹出しダクト７ａ−７ｄは平板状の形状を有しているが、円筒形状など他の形状を有するものであってもよい。ただし、吹出しダクト７ａ−７ｄの外形維持の効果については、平板状のものに対して特に有効である。
（３）
上記の第２実施形態および第４実施形態では、気体封入部８ｂ，８ｄの一部が突出部８２ｂ，８２ｄとなっているが、気体封入部８ｂ，８ｄとは別体の突出部が吹出しダクト７ａ−７ｄの上面に設けられてもよい。これによっても、結露防止の効果を奏することができる。
【００６７】
（４）
上記の実施形態では、室内Ｒの空気を室内機ケーシング２１に取り込んで吹出しダクト組立体５ａ−５ｄへと送っているが、室外から取り込んだ空気を吹出しダクト組立体５ａ−５ｄへと送ってもよい。
また、上記の実施形態では、室内機ケーシング２１の接続口２７に吹出しダクト組立体５ａ−５ｄが接続されているが、空気が吹き出るダクト出口が室内Ｒの側壁や天井面ＣＬ等に直接に設けられている場合には、吹出しダクト組立体５ａ−５ｄがダクト出口に接続されてもよい。
【００６８】
（５）
上記の実施形態では、吹出しダクト７ａ−７ｄの材料として織布が使用されているが、織布以外の繊維系材料が使用されてもよい。
（６）
上記の実施形態では、冷暖房運転が主として記載されているが、吹出しダクト７ａ−７ｄへ湿度調整された空気が送られ、加湿・除湿運転が行われてもよい。また、冷暖房運転と加湿除湿運転とが同時に行われてもよい。さらに、温度調整等が行われていない室外の空気が吹出しダクト７ａ−７ｄへと送られ、換気運転が行われてもよい。
【００６９】
（７）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も輻射による室内Ｒの温度調整は可能である。
【００７０】
（９）
上記の第１実施形態では、気体封入部８ａは、吹出しダクト７ａの上側に固定されているが、気体封入部８ａが、吹出しダクト７ａの内部に設けられ吹出しダクト７ａの上面の内側に固定されてもよい。また、気体封入部８ａは、吹出しダクト７ａの内部において仕切られた部屋の一つとして構成されてもよい。
【００７１】
【発明の効果】
請求項１に記載の吹出しダクト組立体では、気体封入部に大気より比重の軽い気体が封入される。このため、気体封入部には浮力が生じる。そして、気体封入部は、吹出しダクトの内部に設けられ又は吹出しダクトに隣接して固定されるため、吹出しダクトが浮力によって支持される。従って、この吹出しダクト組立体では、吹出しダクトを支持する支持構造が不要であるか又は簡易なものでよく、室内への設置が容易である。
【００７２】
請求項２に記載の吹出しダクト組立体では、吹出しダクトが柔軟性を有する材料によって形成されている。柔軟性を有する材料とは、例えば天然繊維や合成繊維などからなる織布であり、これらの材料によって形成された吹出しダクトは比較的軽量なものである。従って、この吹出しダクト組立体は、気体封入部に充填された気体の浮力によって容易に支持されることができる。
【００７３】
請求項３に記載の吹出しダクト組立体では、気体封入部に充填された気体の浮力によって吹出しダクトが容易に支持される。このため、吹出しダクトが平板状の外形を有する場合であっても、室内への設置が容易である。
請求項４に記載の吹出しダクト組立体では、保持部材によって、対向する平面間の距離が一定に保持される。このため、吹出しダクトの膨張が抑えられ、吹出しダクトの外形が維持される。これにより、この吹出しダクト組立体では、美観が損なわれる恐れを低減することができる。
【００７４】
請求項５に記載の吹出しダクト組立体では、保持部材によって、吹出しダクトの対向する平面間の距離が一定に保持される。そして、保持部材は、空気が通る複数の空間に吹出しダクトの内部を仕切る部材である。従って、この吹出しダクト組立体では、吹出しダクトの広範囲に亘って保持部材が設けられても、保持部材によって空気の流れが妨げられる恐れが少ない。このため、この吹出しダクト組立体では、吹出しダクトの外形を適切に維持することができると共に、保持部材によって空気の流れが妨げられる恐れが少ない。
【００７５】
請求項６に記載の吹出しダクト組立体では、固定部材によって、吹出しダクトの外形が平板状に保持される。このため、吹出しダクトの膨張が抑えられ、吹出しダクトの外形が維持される。これにより、この吹出しダクト組立体では、美観が損なわれる恐れを低減することができる。
請求項７に記載の吹出しダクト組立体では、固定部材は、仕切り部材の少なくとも一部である。例えば、仕切り部材の少なくとも一部をプラスチックなどの所定の剛性を有する材料によって形成することによって、吹出しダクトの外形を平板状に保持することができる。従って、この吹出しダクト組立体では、吹出しダクトの外形を平板状に保持するための構成部品を特別に設ける必要が無く、部品点数の増加が抑えられる。
【００７６】
請求項８に記載の吹出しダクト組立体では、固定部材は、気体が封入される内部空間を有しており、気体封入部を兼ねる。例えば、気体封入部をプラスチックなどの所定の剛性を有する材料によって形成することによって、吹出しダクトの外形を平板状に保持することができる。従って、吹出しダクトの外形が平板状に保持するための構成部品を別途設ける必要が無く、部品点数の増加が抑えられる。
【００７７】
請求項９に記載の吹出しダクト組立体では、突出部が、吹出しダクト組立体の上面から天井側へと突出している。このため、吹出しダクトが天井へ向けて浮き上がった場合でも、吹出しダクトが天井と接触することが突出部によって防止される。これにより、この吹出しダクト組立体では、天井において結露が生じる恐れを低減することができる。
【００７８】
請求項１０に記載の吹出しダクト組立体では、気体封入部の少なくとも一部を構成する突出部が吹出しダクトの上面から天井側へと突出している。このため、吹出しダクトが天井へ向けて浮き上がったとしても、突出部によって吹出しダクトが天井と接触することが防止される。また、突出部の内部に封入された気体によって、吹出しダクトと天井との間を断熱する効果が得られる。これにより、この吹出しダクト組立体では、天井において結露が生じる恐れをより低減することができる。
【００７９】
請求項１１に記載の吹出しダクト組立体では、気体排出経路と閉鎖部材とによって、気体封入部に封入された気体を容易に排出することができる。このため、例えば、吹出しダクト組立体のメンテナンス時などにおいて、吹出しダクト組立体を天井近傍から容易に降ろすことができる。
請求項１２に記載の吹出しダクト組立体では、気体供給経路と逆止弁とによって、気体封入部へと気体を容易に充填することができる。このため、気体が減少して吹出しダクトへの浮力が低下した場合に、気体を容易に補充することができる。また、吹出しダクト組立体に容易にガスを充填することができるため、吹出しダクト組立体を容易に天井近傍に設置することができる。
【００８０】
請求項１３に記載の吹出しダクト組立体では、吹出しダクトは、所定の輻射率を有する繊維系材料によって形成される。従って、吹出しダクトの内部を通る空気の温度によって吹出しダクトの温度が調整され、吹出しダクトが輻射パネルとして機能する。このため、吹出しダクトからの輻射によって室内の温度調整を行うことができる。また、吹出しダクトの繊維の隙間から温度調整された空気が穏やかに室内へと吹出される。このため、吹出しダクトからの穏やかな空気の吹出しによって室内の温度調整を行うことができる。このように、この吹出しダクト組立体では、輻射による温度調整と穏やかな空気の吹出しによる温度調整との両方によって室内の温度調整を行うことができる。これにより、この吹出しダクト組立体では、ドラフトによる不快感を低減すると共に、適切に室内の温度調整を行うことができる。
【図面の簡単な説明】
【図１】第１実施形態にかかる吹出しダクト組立体を備える空気調和機を示す図。
【図２】空気調和機の制御ブロック図。
【図３】吹出しダクト組立体の外観図。
【図４】吹出しダクト組立体の構成を示す図。
【図５】吹出しダクト組立体の断面図。
【図６】吹出しダクト組立体の断面図。
【図７】空気調和機の運転動作を示す図。
【図８】吹出しダクトの位置および姿勢の調整を示す図。
【図９】第２実施形態にかかる吹出しダクト組立体の構成を示す図。
【図１０】吹出しダクト組立体の断面図。
【図１１】第３実施形態にかかる吹出しダクト組立体の構成を示す図。
【図１２】吹出しダクト組立体の断面図。
【図１３】第４実施形態にかかる吹出しダクト組立体の断面図。
【符号の説明】
５ａ−５ｄ          吹出しダクト組立体
７ａ−７ｄ          吹出しダクト
８ａ−８ｄ          気体封入部（気体封入部、固定部材）
９ａ，９ｃ          仕切り部材（保持部材、固定部材、仕切り部材）
１２                気体排出経路
１３                蓋（閉鎖部材）
１４                気体供給経路
１５                逆止弁
８２ｂ，８２ｄ      突出部
ＣＬ                天井面（天井）
ＳＳ                密封空間（内部空間）
Ｒ                  室内
【図１】
2004361037.tif 000003
【図２】
2004361037.tif 000004
【図３】
2004361037.tif 000005
【図４】
2004361037.tif 000006
【図５】
2004361037.tif 000007
【図６】
2004361037.tif 000008
【図７】
2004361037.tif 000009
【図８】
2004361037.tif 000010
【図９】
2004361037.tif 000011
【図１０】
2004361037.tif 000012
【図１１】
2004361037.tif 000013
【図１２】
2004361037.tif 000014
【図１３】
2004361037.tif 000015